(57)【要約】【課題】一対の結束バンドでワイヤーハーネスを結束しつつワイヤーハーネス固定具を取付ける場合に、一対の結束バンドの結束態様を安定させること。【解決手段】ワイヤーハーネスＷＨに結束される一対の結束バンド６０でワイヤーハーネスＷＨに取付けられるワイヤーハーネス固定具５０であって、ワイヤーハーネスＷＨの取付対象に固定可能な固定本体部５２と、一対の結束バンド６０を略並列状態で分離して挿通可能な一対のバンド挿通孔５８ａを有するバンド挿通部５８とを備えている。【選択図】図２
2008296916.tif 000002
【特許請求の範囲】
【請求項１】
ワイヤーハーネスに結束される一対の結束バンドで前記ワイヤーハーネスに取付けられるワイヤーハーネス固定具であって、
ワイヤーハーネスの取付対象に固定可能な固定本体部と、
前記一対の結束バンドを略並列状態で分離して挿通可能な一対のバンド挿通孔を有するバンド挿通部と、
を備えたワイヤーハーネス固定具。
【請求項２】
請求項１記載のワイヤーハーネス固定具であって、
前記各バンド挿通孔の横幅寸法は前記結束バンドの細帯状バンド本体部の幅寸法よりも小さく、前記各バンド挿通孔の縦寸法は前記結束バンドの細帯状バンド本体部の厚み寸法よりも大きい、ワイヤーハーネス固定具。
【請求項３】
請求項１又は請求項２記載のワイヤーハーネス固定具であって、
前記固定本体部と前記バンド挿通部との間に、外周囲に向けて張出す鍔状部が設けられた、ワイヤーハーネス固定具。
【請求項４】
請求項３記載のワイヤーハーネス固定具であって、
前記鍔状部の一主面は、前記各バンド挿通孔の内周面と面一状に連続している、ワイヤーハーネス固定具。
【請求項５】
請求項１〜請求項４のいずれかに記載のワイヤーハーネス固定具であって、
前記バンド挿通部のうち前記ワイヤーハーネスと前記一対の結束バンドとの間に介在する壁部は、結束バンドの締付けにより湾曲するように弾性変形可能な程度の薄肉状に形成された、ワイヤーハーネス固定具。
【請求項６】
取付対象に固定可能な固定具付ワイヤーハーネス装置であって、
複数の線状体を束ねたワイヤーハーネスと、
前記ワイヤーハーネスを結束する一対の結束バンドと、
前記取付対象に固定可能な固定本体部と、前記一対の結束バンドが略並列状態で分離して挿通された一対のバンド挿通孔を有するバンド挿通部と、を有するワイヤーハーネス固定具と、
を備えた固定具付ワイヤーハーネス装置。
【請求項７】
請求項６記載の固定具付ワイヤーハーネス装置であって、
前記ワイヤーハーネスは、分岐元線の途中から分岐線が分岐するワイヤーハーネスの分岐部分を有し、
前記一対の結束バンドは、前記分岐線の両側で前記分岐元線を結束する、固定具付ワイヤーハーネス装置。
【請求項８】
固定具付ワイヤーハーネス装置の製造方法であって、
取付対象に固定可能な固定本体部と、一対の結束バンドを略並列状態で分離して挿通可能な一対のバンド挿通孔を有するバンド挿通部と、を有するワイヤーハーネス固定具を、前記バンド挿通部をワイヤーハーネスに接触させるように配設する工程と、
前記一対の結束バンドを、略並列状態で分離して前記一対のバンド挿通孔に通す工程と、
前記一対の結束バンドを前記ワイヤーハーネスに巻回するように配設する工程と、
前記一対の結束バンドを締付ける工程と、
を備えた固定具付ワイヤーハーネス装置の製造方法。
【発明の詳細な説明】
【技術分野】
【０００１】
この発明は、ワイヤーハーネスを車体等に固定するための技術に関する。
【背景技術】
【０００２】
ワイヤーハーネスは、車両等に搭載された各種電気機器を相互接続する配線材であり、複数の電線が各種電気機器の配設位置や配線経路に応じた態様で分岐して結束される。
【０００３】
かかるワイヤーハーネスを車体等に固定するためのワイヤーハーネス固定具として、特許文献１に開示のものがある。特許文献１は、ワイヤーハーネス固定具として、車体等に固定されるクランプ部と、ターミナル本体部とを備えた十字結束用ターミナルを開示している。ターミナル本体部には、一対の結束バンドを通すための単一の挿通孔が形成されている。そして、一対の結束バンドを、単一の挿通孔に通して重ねた状態で、ワイヤーハーネスの十字状部分に巻回して結束することで、当該ワイヤーハーネスの十字状部分を結束しつつそこに十字結束用ターミナルを固定できるようになっている。
【０００４】
【特許文献１】特開２００６−５６５７４号公報
【発明の開示】
【発明が解決しようとする課題】
【０００５】
しかしながら、特許文献１に開示の固定具では、一対の結束バンドを単一の挿通孔に通して重ねた状態としている。このため、ワイヤーハーネスの形態や結束バンドの配置、締付け方向方によっては、締付け後に結束バンドが挿通孔内でずれて、結束バンドの緩み等を生じる可能性がある。そして、結束バンドの緩み等を生じると、固定具の取付位置がずれたり、ワイヤーハーネスがばらついたりする恐れがある。
【０００６】
そこで、本発明は、一対の結束バンドでワイヤーハーネスを結束しつつワイヤーハーネス固定具を取付ける場合に、一対の結束バンドの結束態様を安定させることを目的とする。
【課題を解決するための手段】
【０００７】
上記課題を解決するため、第１の態様に係るワイヤーハーネス固定具は、ワイヤーハーネスに結束される一対の結束バンドで前記ワイヤーハーネスに取付けられるワイヤーハーネス固定具であって、ワイヤーハーネスの取付対象に固定可能な固定本体部と、前記一対の結束バンドを略並列状態で分離して挿通可能な一対のバンド挿通孔を有するバンド挿通部と、を備えたものである。
【０００８】
第２の態様は、第１の態様であって、前記各バンド挿通孔の横幅寸法は前記結束バンドの細帯状バンド本体部の幅寸法よりも小さく、前記各バンド挿通孔の縦寸法は前記結束バンドの細帯状バンド本体部の厚み寸法よりも大きいものである。
【０００９】
第３の態様は、第１又は第２の態様であって、前記固定本体部と前記バンド挿通部との間に、外周囲に向けて張出す鍔状部が設けられたものである。
【００１０】
第４の態様は、第３の態様であって、前記鍔状部の一主面は、前記各バンド挿通孔の内周面と面一状に連続しているものである。
【００１１】
第５の態様は、第１〜第４のいずれかの態様であって、前記バンド挿通部のうち前記ワイヤーハーネスと前記一対の結束バンドとの間に介在する壁部は、結束バンドの締付けにより湾曲するように弾性変形可能な程度の薄肉状に形成されたものである。
【００１２】
第６の態様に係る固定具付ワイヤーハーネス装置は、取付対象に固定可能な固定具付ワイヤーハーネス装置であって、複数の線状体を束ねたワイヤーハーネスと、前記ワイヤーハーネスを結束する一対の結束バンドと、前記取付対象に固定可能な固定本体部と、前記一対の結束バンドが略並列状態で分離して挿通された一対のバンド挿通孔を有するバンド挿通部と、を有するワイヤーハーネス固定具と、を備えたものである。
【００１３】
第７の態様は、第６の態様であって、前記ワイヤーハーネスは、分岐元線の途中から分岐線が分岐するワイヤーハーネスの分岐部分を有し、前記一対の結束バンドは、前記分岐線の両側で前記分岐元線を結束するものである。
【００１４】
第８の態様に係る固定具付ワイヤーハーネス装置の製造方法は、取付対象に固定可能な固定本体部と、一対の結束バンドを略並列状態で分離して挿通可能な一対のバンド挿通孔を有するバンド挿通部と、を有するワイヤーハーネス固定具を、前記バンド挿通部をワイヤーハーネスに接触させるように配設する工程と、前記一対の結束バンドを、略並列状態で分離して前記一対のバンド挿通孔に通す工程と、前記一対の結束バンドを前記ワイヤーハーネスに巻回するように配設する工程と、前記一対の結束バンドを締付ける工程と、を備えたものである。
【発明の効果】
【００１５】
第１の態様に係るワイヤーハーネス固定具によると、一対の結束バンドを、一対のバンド挿通孔に略並列状態で分離して挿通した状態で、ワイヤーハーネスの結束及びワイヤーハーネス固定具の取付を行える。このため、一対の結束バンドが一対のバンド挿通孔のそれぞれでずれにくく、一対の結束バンドの結束態様を安定させることができる。
【００１６】
第２の態様に係るワイヤーハーネス固定具によると、前記各バンド挿通孔の横幅寸法は前記結束バンドの細帯状バンド本体部の幅寸法よりも小さく、前記各バンド挿通孔の縦寸法は前記結束バンドの細帯状バンド本体部の厚み寸法よりも大きい。このため、結束バンドを斜めにすることでバンド挿通孔に通すことができる。そして、結束バンドを締付けると、結束バンドの細帯状バンド本体部がバンド挿通孔内で幅方向に圧縮状に挟持された状態となるので、締付け後には、結束バンド及びワイヤーハーネス固定具の回転ずれが抑制される。
【００１７】
第３の態様によると、前記固定本体部と前記バンド挿通部との間に、外周囲に向けて張出す鍔状部が設けられているので、結束バンドが固定本体部に干渉することを有効に抑制できる。
【００１８】
第４の態様によると、前記鍔状部の一主面は、前記各バンド挿通孔の内周面と面一状に連続しているので、結束バンドを鍔状部の一主面でバンド挿通孔に向けて案内することができ、結束バンドをバンド挿通孔に向けて容易に通すことができる。
【００１９】
また、第５の態様によると、結束バンドを締付けると、前記バンド挿通部のうち前記ワイヤーハーネスと前記一対の結束バンドとの間に介在する壁部が湾曲するように弾性変形する。このため、締付け後の結束バンドの緩みを防止でき、結束バンド及びワイヤーハーネス固定具の回転ずれを防止できる。
【００２０】
第６の態様に係る固定具付ワイヤーハーネス装置によると、一対の結束バンドを、一対のバンド挿通孔に略並列状態で分離して挿通した状態で、ワイヤーハーネスの結束及びワイヤーハーネス固定具の取付を行える。このため、一対の結束バンドが一対のバンド挿通孔のそれぞれでずれにくく、一対の結束バンドの結束態様を安定させることができる。
【００２１】
第７の態様によると、一対の結束バンドが、前記分岐線の両側で前記分岐元線を結束しているので、当該分岐部分の形態を保持することができる。
【００２２】
第８の態様に係る固定具付ワイヤーハーネス装置の製造方法によると、一対の結束バンドを、一対のバンド挿通孔に略並列状態で分離して挿通した状態で、ワイヤーハーネスの結束及びワイヤーハーネス固定具の取付を行える。このため、一対の結束バンドが一対のバンド挿通孔のそれぞれでずれにくく、一対の結束バンドの結束態様を安定させることができる。
【発明を実施するための最良の形態】
【００２３】
以下、実施形態に係るワイヤーハーネス固定具及び固定具付ワイヤーハーネス装置について説明する。
【００２４】
図１は固定具付ワイヤーハーネス装置の分岐部分を示す底面図であり、図２は同固定具付ワイヤーハーネス装置の分岐部分を示す側面図である。
【００２５】
固定具付ワイヤーハーネス装置２は、ワイヤーハーネスＷＨと、一対の結束バンド６０と、ワイヤーハーネス固定具５０とを備えており、取付対象に固定可能に構成されている。
【００２６】
ワイヤーハーネスＷＨは、例えば、車両等の各種電気機器を相互接続する配線材であり、複数の電線が各種電気機器の配設位置や配線経路に応じた態様で分岐して束ねられた構成とされている。なお、ワイヤーハーネスＷＨに含まれるのは、電線に限られず、光ファイバ等、他の配線が含まれていてもよい。
【００２７】
このようなワイヤーハーネスＷＨにおいて、分岐元線ＷＨａの途中から分岐線ＷＨｂが分岐する部分ＷＨｄ、即ち、３方向に分岐する部分ＷＨｄに、一対の結束バンド６０及びワイヤーハーネス固定具５０が設けられる。分岐部分ＷＨｄは、略Ｔ字状に分岐する態様であっても、略Ｙ字状に分岐する態様であっても構わない。また、３方向に分岐する部分ＷＨｄのうち、いずれの２方向延在部分を分岐元線ＷＨａとして捉え、また、いずれの１方向延在部分を分岐線ＷＨｂとして捉えるかは任意である。例えば、３方向に分岐する部分のうち最も多くの電線を含む２方向延在部分が分岐元線で、残りの１方向に延びる部分が分岐線であると捉えてもよい。また、例えば、３方向に分岐する部分のうち直線状に延びる２方向延在部分が存在する場合（略Ｔ字状に分岐する場合等）には、その直線状に延びる２方向延在部分が分岐元線で、残りの１方向に延びる部分が分岐線であると捉えてもよい。
【００２８】
このような分岐部分ＷＨｄに、ワイヤーハーネス固定具５０が配設されている。ここでは、上記ワイヤーハーネス固定具５０は、分岐元線ＷＨａの側面であって分岐線ＷＨｂとこの分岐線ＷＨｂの反対側の側面との間の一側面、別の捉え方をすれば、分岐元線ＷＨａのうち分岐線ＷＨｂの延出位置に応じた外周側面であって分岐線ＷＨｂの延出位置に隣設する側面に配設される。なお、ワイヤーハーネス固定具５０を分岐部分ＷＨｄに配設する場合、その取付位置は図１及び図２に示す例に限られない。ワイヤーハーネス固定具５０を、分岐部分ＷＨｄにおいて、分岐元線ＷＨａのうち分岐線ＷＨｂとは反対側の側面に配設した例については後述する。
【００２９】
また、一対の結束バンド６０は、分岐部分ＷＨｄに、ワイヤーハーネス固定具５０を取付しつつ、ワイヤーハーネスＷＨの分岐形態を維持するように当該ワイヤーハーネスＷＨを結束するように配設されている。ここでは、一対の結束バンド６０は、分岐元線ＷＨａのうち分岐線ＷＨｂの両側部分で、当該分岐元線ＷＨａをワイヤーハーネス固定具５０と共に結束している。この一対の結束バンド６０により、分岐部分ＷＨｄが上記分岐形態で結束保持されると共に、その分岐部分ＷＨｄにワイヤーハーネス固定具５０が取付固定される。
【００３０】
そして、本ワイヤーハーネス固定具５０を用いて、固定具付ワイヤーハーネス装置２が車体等の取付対象に固定される。
【００３１】
ここで、結束バンド６０について説明する。図３（ａ）は結束バンドを示す正面図であり、図３（ｂ）は結束バンドを示す一部断面側面図である。
【００３２】
結束バンド６０は、線状体の束等を結束するためのものであり、樹脂等で形成されている。この結束バンド６０は、細帯状バンド本体部６２と、細帯状バンド本体部６２の一端部に設けられた係止部６４とを有している。細帯状バンド本体部６２は、所定の幅寸法Ｗ１及び所定の厚み寸法Ｔ１を有する細帯状に形成されており、その一主面には係止溝６２ａが形成されている。なお、細帯状バンド本体部６２の先端部は、後述する筒部６４ａ等に容易に挿入できるように先細りに形成されている。また、係止部６４は、細帯状バンド本体部６２を挿通可能な筒部６４ａと、筒部６４ａ内に形成された係止爪部６４ｂとを有している。そして、細帯状バンド本体部６２を線状体の束等に巻回した状態で、細帯状バンド本体部６２の他端部を筒部６４ａ内に挿通すると、係止爪部６４ｂが係止溝６２ａに係止して、線状体等を束ねて保持できるようになっている。
【００３３】
ワイヤーハーネス固定具５０について説明する。図４はワイヤーハーネス固定具を示す斜視図であり、図５（ａ）はワイヤーハーネス固定具を示す平面図、図５（ｂ）はワイヤーハーネス固定具を示す正面図、図５（ｃ）はワイヤーハーネス固定具を示す底面図、図５（ｄ）はワイヤーハーネス固定具を示す側面図である。
【００３４】
このワイヤーハーネス固定具５０は、ワイヤーハーネス固定用のクランプ又はクリップとして用いられる部材であり、上記ワイヤーハーネスＷＨに結束される一対の結束バンド６０で当該ワイヤーハーネスＷＨに取付けられる。このワイヤーハーネス固定具５０は、固定本体部５２と、皿状部５４と、鍔状部５６と、バンド挿通部５８とを有しており、樹脂等で一体形成されている。
【００３５】
固定本体部５２は、ワイヤーハーネスＷＨの取付対象に固定するための部材であり、先端部がやや先細になる概略楕円柱状に形成されている。また、固定本体部５２の両側部にそれぞれ係合片５３が形成されている。係合片５３の基端部は固定本体部５２に対して揺動自在に連結支持されており、固定本体部５２の両側部から突出及び退避可能とされている。また、係合片５３の先端部外面は、先端側に向けて順次高さ寸法が低くなる傾斜面５３ａに形成されており、係合片５３の基端部外面は、基端側に向けて段階的に高さ寸法が低くなる階段状係合面５３ｂに形成されている。
【００３６】
また、皿状部５４は、固定本体部５２の基端部から先端側に向けて順次拡開する皿状（ここでは楕円皿状）に形成されており、弾性変形容易な薄手の皿状に形成されている。
【００３７】
そして、本固定本体部５２を、取付対象８０に形成された取付孔８２（図５（ｄ）参照）に挿入すると、その挿入初期で係合片５３の傾斜面５３ａが取付孔８２の周縁部に摺接することで、係合片５３が退避するように揺動する。そして、係合片５３の傾斜面５３ａが取付孔８２の周縁部を乗越えると、係合片５３が突出方向に弾性復帰する。これにより、階段状係合面５３ｂのいずれかの段部が、取付孔８２の周縁部の内面に係合し、当該固定本体部５２を抜止め状に保持する。この際、係合片５３とは逆側（取付孔８２の周縁部の外面側）から、皿状部５４が取付孔８２の周縁部に当接して固定本体部５２を抜け方向に付勢する。これにより、一対の係合片５３と皿状部５４とで、取付孔８２の周縁部を挟込むようにして、ワイヤーハーネス固定具５０が取付対象８０の取付孔８２に対して一定位置に固定されるようになっている。
【００３８】
なお、固定本体部５２としては、上記例に限らず、取付対象に係合や圧入、嵌め込み、螺合等される種々の固定構造を採用することができる。
【００３９】
また、上記皿状部５４の縮径部分側に、即ち、固定本体部５２とバンド挿通部５８との間に、外周囲に向けて張出す鍔状部５６が形成されている。鍔状部５６は、皿状部５４と略同程度の広がり（皿状部５４より大きくても、小さくてもよい）を持つ鍔状、ここでは、楕円鍔状に形成されている。この鍔状部５６は、上記皿状部５４よりも厚手に形成されており、本ワイヤーハーネス固定具５０を分岐部分結束用治具１０で支持する際の支持部分や、皿状部５４の保護、さらには、結束バンド６０をバンド挿通部５８に挿通する際の案内部分等として用いられる。
【００４０】
バンド挿通部５８は、鍔状部５６の外面側（固定本体部５２の反対側）に形成されており、一対のバンド挿通孔５８ａを有している。一対のバンド挿通孔５８ａは、仕切壁５８ｂによって仕切られた形態で、鍔状部５６の長軸方向に沿って並設されており、それぞれ鍔状部５６の短軸方向両側に開口している。この一対のバンド挿通孔５８ａは、結束バンド６０の細帯状バンド本体部６２を挿通可能な孔形状に形成されている。そして、一対のバンド挿通孔５８ａに対して、一対の結束バンド６０を略並列状態で分離して挿通できるようになっている。
【００４１】
図６はバンド挿通孔に細帯状バンド本体部を挿通した状態を示す図であり、図７はバンド挿通孔に細帯状バンド本体部を挿通して結束バンドを締付けた状態を示す図である。図４〜図７に示すように、各バンド挿通孔５８ａは、略四角孔状に形成されており、その横幅寸法Ｗ２は細帯状バンド本体部６２の幅寸法Ｗ１よりも小さく、また、その縦寸法Ｔ２は細帯状バンド本体部６２の厚み寸法Ｔ１よりも大きく設定されている。ここで、バンド挿通孔５８ａの横幅寸法Ｗ２はワイヤーハーネス固定具５０が結束バンド６０によりワイヤーハーネスＷＨに引寄せられる方向と略直交する方向における寸法であり、バンド挿通孔５８ａの縦寸法Ｔ２は、ワイヤーハーネス固定具５０が結束バンド６０によりワイヤーハーネスＷＨに引寄せられる方向における寸法である。そして、細帯状バンド本体部６２を、その幅方向がバンド挿通孔５８ａの各内面に対して斜めになる姿勢で、当該バンド挿通孔５８ａに挿通することができるようになっている（図６参照）。また、細帯状バンド本体部６２をバンド挿通孔５８ａに挿通した状態で、結束バンド６０を締付けると、その締付け力により細帯状バンド本体部６２がバンド挿通孔５８ａの上側内面に沿って押付けられるようになり、細帯状バンド本体部６２が幅方向に圧縮状となってバンド挿通孔５８ａの側方内面間で挟持された状態になる。これにより、細帯状バンド本体部６２がバンド挿通孔５８ａ内でその長手方向にずれにくくなっている。
【００４２】
また、各バンド挿通孔５８ａの底側内面（鍔状部５６側の内面）は、鍔状部５６の一主面（バンド挿通部５８側の主面）と面一状に連続している。これにより、細帯状バンド本体部６２の先端部を鍔状部５６の一主面に摺接させることで、バンド挿通孔５８ａ内に容易に案内できるようになっている。なお、各バンド挿通孔５８ａの底側内面と鍔状部５６の一主面とは、ここでは、同一平面状に連続しているが、必ずしも同一平面上である必要はなく、曲面部分が存在していてもよい。
【００４３】
図８は結束バンドを締付けた状態におけるバンド挿通部を示す図である。バンド挿通部５８のうちワイヤーハーネスＷＨと結束バンド６０との間に介在することとなる上壁部５８ｃは、結束バンド６０の締付けにより湾曲するように弾性変形可能な程度の薄肉状に形成されている。ここで想定される結束バンド６０の締付け度合は、結束バンド６０やワイヤーハーネス固定具５０を、位置ずれしないようにしっかりと結束及び固定でき、かつ、ワイヤーハーネスＷＨを極端に締付けすぎない程度の度合であり、ワイヤーハーネスＷＨに含まれる電線の種類や本数、ワイヤーハーネスＷＨの形態、結束バンド６０の種類等に応じて適切な締付け度合が実験的、経験的に設定される。そして、結束バンド６０の締付け当初から、上記上壁部５８ｃが湾曲するように弾性変形するようになっている。
【００４４】
上記ワイヤーハーネス固定具５０を適用した固定具付ワイヤーハーネス装置２は、例えば、次のようにして製造することができる。
【００４５】
すなわち、ワイヤーハーネス固定具５０を、ワイヤーハーネスＷＨの所定部位（ここでは分岐部分ＷＨｄ）に接触させるように配設し、一対の結束バンド６０を、略並列状態で分離して一対のバンド挿通孔５８ａに通して、ワイヤーハーネスＷＨに巻回するように配設する。この後、一対の結束バンド６０を締付けると、固定具付ワイヤーハーネス装置２が製造される。
【００４６】
かかるワイヤーハーネス固定具５０、固定具付ワイヤーハーネス装置２及びその製造方法によると、一対の結束バンド６０を、一対のバンド挿通孔５８ａに略並列状態で分離した状態で、ワイヤーハーネスＷＨの結束及びワイヤーハーネス固定具５０の取付を行える。このため、一対の結束バンド６０が一対のバンド挿通孔５８ａのそれぞれでずれ難く、相互位置関係が安定する。これにより、結束バンド６０の緩みや、緩みによるワイヤーハーネス固定具５０の取付位置のずれ、ワイヤーハーネスＷＨの緩み等が防止され、一対の結束バンド６０による結束態様を安定させることができる。
【００４７】
特に、一対の結束バンド６０が、分岐線ＷＨｂの両側で分岐元線ＷＨａを結束しているので、当該分岐部分ＷＨｄの形態を安定して保持することができる。
【００４８】
また、各バンド挿通孔５８ａの横幅寸法Ｗ２は、結束バンド６０の細帯状バンド本体部６２の幅寸法Ｗ１よりも小さく、かつ、各バンド挿通孔５８ａの縦寸法Ｔ２は細帯状バンド本体部６２の厚み寸法Ｔ１よりも大きい。このため、細帯状バンド本体部６２を斜めにすることでバンド挿通孔５８ａに挿通することができる。そして、結束バンド６０を締付けると、細帯状バンド本体部６２がバンド挿通孔５８ａ内で幅方向に圧縮状に挟持された状態となる。このため、締付け後には、細帯状バンド本体部６２がバンド挿通孔５８ａ内でその延在方向に位置ずれし難くなり、結束バンド６０及びワイヤーハーネス固定具５０の回転ずれが抑制される。
【００４９】
しかも、結束バンド６０の締付け当初から、上記上壁部５８ｃが湾曲するように弾性変形するため、締付け後の結束バンド６０の緩みを防止でき、結束バンド６０及びワイヤーハーネス固定具５０の回転ずれを防止できる。より詳細に説明すると、仮に上壁部５８ｃが比較的厚肉であると、結束バンド６０の締付け当初又は直後の状態では、厚肉の上壁部５８ｃは平坦な形状であり、結束バンド６０による締付け力の作用により徐々に湾曲するように変形する。つまり、固定具付ワイヤーハーネス装置２の製造後長期経過してから上壁部５８ｃが湾曲するように変形してしまう。すると、上壁部５８ｃの部分で、結束バンド６０の巻回経路が小径化して短くなってしまい、結束バンド６０が緩んでしまう。すると、結束バンド６０やワイヤーハーネス固定具５０が回転ずれしてしまう恐れがある。そこで、上記のように、結束バンド６０の締付け当初から上壁部５８ｃが湾曲状に変形し得る程度に当該上壁部５８ｃを薄肉に形成することで、事後的な上壁部５８ｃの変形による結束バンド６０の緩みを防止することができるのである。
【００５０】
また、上記のように上壁部５８ｃがワイヤーハーネスＷＨの外周外形状に沿って内側に凹むように湾曲するので、ワイヤーハーネスＷＨがバンド挿通部５８の曲面部分に接触することになり、ワイヤーハーネスＷＨを構成する電線等の傷付着等が防止される。
【００５１】
また、固定本体部５２とバンド挿通部５８との間に、外周面に向けて張出す鍔状部５６が設けられているので、結束バンド６０が固定本体部５２や皿状部５４に干渉することを有効に抑制できる。また、この鍔状部５６は、後述する結束用治具１０にワイヤーハーネス固定具５０を位置決め等して保持するための部分としても供される。
【００５２】
また、鍔状部５６の一主面は、各バンド挿通孔５８ａの内周面と面一上に連続しているので、結束バンド６０の細帯状バンド本体部６２の先端部を、鍔状部５６の一主面に摺接させることでバンド挿通孔５８ａに向けて案内することができ、結束バンド６０をバンド挿通孔５８ａに向けて容易に挿通させることができる。
【００５３】
上記のような固定具付ワイヤーハーネス装置２は、次に説明するようなワイヤーハーネスの分岐部分結束用治具１０を用いることで、ワイヤーハーネス固定具５０の取付及び結束バンド６０の締付けを、より簡易に行え、かつ、分岐部分ＷＨｄ及びワイヤーハーネス固定具５０の取付位置の寸法精度を向上させることができる。
【００５４】
図９は分岐部分結束用治具を示す斜視図であり、図１０（ａ）は同状態を示す平面図であり、図１０（ｂ）は同状態を示す側面図であり、図１０（ｃ）は同状態を示す正面図であり、図１０（ｄ）は同状態を示す側面図であり、図１０（ｅ）は同状態を示す背面図である。
【００５５】
この分岐部分結束用治具１０は、受部１２と、一対の支持棒３２ａを有する保持具３０とを備えており、ワイヤーハーネスＷＨが組立られる組立板４０上に立設される。
【００５６】
保持具３０は、金属等で形成されており、直線状の棒状部分３１の上部に略Ｕ字状部分３２が形成された構成とされており、その略Ｕ字状部分３２の上端部が上記一対の支持棒３２ａを構成している。そして、この保持具３０に受部１２が装着された状態で、受部１２で支持される分岐部分ＷＨｄの分岐線ＷＨｂを一対の支持棒３２ａ間に通すようにして案内支持可能に構成されている。
【００５７】
受部１２は、樹脂等で形成された概略直方体状の部材に形成されている。この受部１２には、一対の支持棒３２ａを挿通可能な一対の装着孔１２ｈが形成されている。そして、一対の支持棒３２ａを一対の装着孔１２ｈ内に下方から挿通することで、本受部１２が保持具３０に装着されるようになっている。
【００５８】
また、受部１２が保持具３０に装着された状態で、受部１２は一対の支持棒３２ａの根本近傍から側方に延出している。そして、分岐線ＷＨｂを上記一対の支持棒３２ａ間に通すようにして配設されるワイヤーハーネスＷＨの分岐部分ＷＨｄを、本受部１２上に載置状に支持できるようになっている。
【００５９】
また、この受部１２の上向き面（分岐部分ＷＨｄを載置状に支持する面でもある）には、ワイヤーハーネス固定具５０を位置決め可能な固定具位置決め部１４が形成されている。固定具位置決め部１４は、ワイヤーハーネス固定具５０の固定本体部５２、皿状部５４及び鍔状部５６を含む部分を収容可能な凹状に形成されている。そして、ワイヤーハーネス固定具５０が、そのバンド挿通部５８を上方に突出させた姿勢で、固定具位置決め部１４に位置決め保持されるようになっている。
【００６０】
また、受部１２には、上記固定具位置決め部１４に位置決めされたワイヤーハーネス固定具５０の浮き上がりを防止するように当該ワイヤーハーネス固定具５０に係脱可能に係止するロック機構部２０が設けられている。
【００６１】
ロック機構部２０は、係脱片２１と、付勢部２２と、操作片２３とを有している。
【００６２】
係脱片２１は、受部１２のうち固定具位置決め部１４側方に形成された凹部１３内で、係合位置と非係合位置との間で、下端部の支軸２１ａを介して揺動自在に取付けられている。この係脱片２１が係合位置に位置した状態で、係脱片２１の先端部が係合位置で固定具位置決め部１４内に保持されたワイヤーハーネス固定具５０の鍔状部５６に係合し、当該ワイヤーハーネス固定具５０が抜止め状に保持される。また、係脱片２１が非係合位置に位置した状態では、係脱片２１の先端部が固定具位置決め部１４内に保持されたワイヤーハーネス固定具５０の鍔状部５６から外側方へ退避移動し、ワイヤーハーネス固定具５０が固定具位置決め部１４に対して挿脱自在となる。
【００６３】
かかるロック機構部２０は、鍔状部５６に係合しているため、ワイヤーハーネス固定具５０の本来の機能である車体等への固定用の部分である固定本体部５２や皿状部５４に対する破損等を有効に防止できる。
【００６４】
また、付勢部２２は、係脱片２１の下端部と凹部１３との間に介在するコイルバネ等によって構成されており（図１０（ｄ）参照）、係脱片２１を非係合位置から係合位置に向けて付勢している。なお、付勢部２２としては、コイルバネに限らず、板バネ等種々の弾性付勢部材を用いることができる。
【００６５】
操作片２３は、係脱片２１に一体化されて当該係脱片２１の側方に突出している。そして、この操作片２３を受部１２の外側方に向けて指等で押すことで（図９の矢符Ａ参照）、上記係脱片２１が係合位置から非係合位置に向けて揺動するようになっている（図９の矢符Ｂ参照）。
【００６６】
また、受部１２には、結束バンド６０を固定具位置決め部１４に位置決めされるワイヤーハーネス固定具５０のバンド挿通孔５８ａに向けて案内する案内路１６が形成されている。
【００６７】
ここでは、受部１２の上向き面に、上記２つのバンド挿通孔５８ａに対応して２つの案内路１６が形成されている。一対の案内路１６は、それぞれ断面略Ｕ字状の溝形状であり、上記一対の支持棒３２ａ間を通過するようにして略並列状態で延在している。そして、一対の案内路１６が、一対の結束バンド６０を、分岐線ＷＨｂの両側で分岐元線ＷＨａを結束可能な位置に略並行状に案内するようになっている。
【００６８】
また、各案内路１６の底面は、固定具位置決め部１４内に保持されたワイヤーハーネス固定具５０の鍔状部５６のバンド挿通部５８側の一主面（バンド挿通孔５８ａの鍔状部５６側の面）に対して略同一面状に延在するように形成されている。そして、各案内路１６で案内された結束バンド６０が各バンド挿通孔５８ａ内に円滑に挿入案内されるようになっている。
【００６９】
また、各案内路１６の一端側の開口部は、分岐線ＷＨｂの延出方向に向けて側方に開口しており、各案内路１６の他端側開口は、分岐線ＷＨｂの延出方向とは反対方向に向けて側方に開口している。各案内路１６の一端部開口部の外側側面は、結束バンド６０を容易に挿入できるように、外方に向けて順次拡開している。なお、案内路１６の他端側開口部の底面に当該開口から固定具位置決め部１４に向けて一段高くなる段差部を形成し、又は、案内路１６の他端側開口部の底面よりも固定具位置決め部１４に保持されるワイヤーハーネス固定具５０のバンド挿通孔５８ａの底面が一段高くなるようにしてもよい。これにより、各案内路１６の他端側開口から結束バンド６０を挿入すると、その先端部が当該段差に当接して挿入し難くなり、間違った方向からの挿入を抑制できる。
【００７０】
また、上記受部１２の上方に、バンド締付け具７０を、結束バンド６０を締付ける位置に配置可能な締付作業領域Ｅが設けられている。換言すれば、分岐部分ＷＨｄを受部１２上に載置すると共にワイヤーハーネス固定具５０を固定具位置決め部１４に位置決め支持した状態で、分岐部分ＷＨｄにワイヤーハーネス固定具５０と共に巻回された結束バンド６０を締付け可能となるように、本分岐部分結束用治具１０の形状等が設定され、より具体的には、例えば、元線支持棒２６の位置等が設定されている。
【００７１】
ここでは、受部１２に、固定具位置決め部１４を挟んで一対の支持棒３２ａの反対側に、元線支持棒２６（ここでは１本の元線支持棒２６）が立設されている。元線支持棒２６は、分岐線ＷＨｂとは反対側で、受部１２で支持される分岐部分ＷＨｄの分岐元線ＷＨａを支持する略棒状の部材であり、上記一対の支持棒３２ａよりも高さ寸法が小さく設定されている。この元線支持棒２６は、一対の支持棒３２ａを結ぶ線分の垂直２等分線を外れ、かつ、分岐部分ＷＨｄ周りに配設される結束バンド６０の上方位置を避けた位置に設けられる。ここでは、一方の支持棒３２ａに対して、受部１２に載置状に支持される分岐元線ＷＨａを挟んで反対側の位置に、元線支持棒２６が立設されている。
【００７２】
そして、この元線支持棒２６よりも一対の支持棒３２ａを結ぶ線分の垂直２等分線側、つまり、元線支持棒２６よりも固定具位置決め部１４側に締付作業領域Ｅが設けられている。これにより、分岐部分結束用治具１０とバンド締付け具７０との干渉を抑制して、当該バンド締付け具７０で結束バンド６０をしっかりと締付けることができる。ここで、バンド締付け具７０としては、角筒状のヘッド部分の先端部に係止部６４を引っかけた状態で、細帯状バンド本体部６２の他端部をヘッド部分内に引込むようにして、当該結束バンドを締付ける工具であり、結束工具等として一般に流通しているものを用いることができる。
【００７３】
なお、元線支持棒２６は、受部１２とは別体に形成されて当該受部１２に挿入保持されたものでもよいし、保持具３０と一体形成されて受部１２に挿通されたものでもよいし、受部１２と一体形成されたものであってもよい。
【００７４】
このように構成された分岐部分結束用治具１０を用いたワイヤーハーネスＷＨの製造方法について説明する。
【００７５】
まず、図１１に示すように、ワイヤーハーネス固定具５０を受部１２の固定具位置決め部１４に嵌め込むようにして位置決め保持する。この際、ワイヤーハーネス固定具５０を固定具位置決め部１４に嵌め込む途中状態で、ワイヤーハーネス固定具５０の鍔状部５６が係脱片２１の先端部を一旦外方に移動させて被係合位置に移動させる。この後、ワイヤーハーネス固定具５０が固定具位置決め部１４内に完全に奥まで嵌め込まれた状態で、付勢部２２の付勢力により係脱片２１が係合位置に復帰し、ワイヤーハーネス固定具５０に係合して抜止め状に保持する。
【００７６】
この後、複数の電線を所定の３方向分岐形態で、本分岐部分結束用治具１０上に配設し、分岐部分ＷＨｄを受部１２で載置状に支持すると共に、分岐線ＷＨｂを一対の支持棒３２ａで案内支持する。これにより、ワイヤーハーネスＷＨの分岐部分ＷＨｄが本分岐部分結束用治具１０上に仮に構築される。
【００７７】
この状態で、図１２に示すように、２つの結束バンド６０の細帯状バンド本体部６２の他端部を、受部１２の側方から各案内路１６内に挿入する。そして、結束バンド６０を、案内路１６を経由させて、各細帯状バンド本体部６２の他端部を、ワイヤーハーネス固定具５０のバンド挿通孔５８ａ内に通して、受部１２の反対側側方に引出す。
【００７８】
この後、図１３に示すように、各結束バンド６０を、分岐線ＷＨｂの両側で分岐元線ＷＨａに巻回し、細帯状バンド本体部６２の他端部を係止部６４内に通す。
【００７９】
そして、図１４に示すように、分岐部分ＷＨｄを受部１２で載置状に支持したままの状態で、バンド締付け具７０を上記締付作業領域Ｅ近傍に配設し、細帯状バンド本体部６２の他端部をバンド締付け具７０に導いて所定の締結動作を実施する。すると、細帯状バンド本体部６２の他端部が係止部６４からさらに引張られ、分岐元線ＷＨａの締付け結束がなされる。これを両結束バンド６０に対して実施する。そして、操作片２３を受部１２の外側方に向けて指等で押して係脱片２１によるワイヤーハーネス固定具５０の係合を解除した状態で、分岐部分ＷＨｄ及びワイヤーハーネス固定具５０を本分岐部分結束用治具１０から取外すと、図１及び図２に示すように、分岐元線ＷＨａが分岐線ＷＨｂの両側で結束バンド６０により締結固定されると共に、その結束バンド６０でワイヤーハーネス固定具５０が固定された分岐部分ＷＨｄが得られる。
【００８０】
なお、ワイヤーハーネスＷＨの他の部分は、他の結束バンドや粘着テープ等、周知構成を含む種々の構成で結束することができる。
【００８１】
そして、このように製造されたワイヤーハーネスＷＨでは、ワイヤーハーネス固定具５０を車体等の取付孔８２に取付けて配設することができる。この場合、分岐部分ＷＨｄが直接的に車体等に固定されることになるため、当該固定部分を固定された基準点として、各分岐元線ＷＨａや分岐線ＷＨｂを取回して配線することができる。このため、ワイヤーハーネスＷＨを比較的正確に位置決めして配設することができる。
【００８２】
以上のように構成されたワイヤーハーネスＷＨの分岐部分結束用治具１０を用いると、受部１２に固定具位置決め部１４が形成され、受部１２の上方に締付作業領域Ｅが設けられているため、固定具位置決め部１４にワイヤーハーネス固定具５０を位置決めすると共に、ワイヤーハーネスＷＨの分岐部分ＷＨｄを受部１２で載置状に支持した状態で、結束バンド６０の締付けを行える。このため、分岐部分ＷＨｄの根本近くへのワイヤーハーネス固定具５０の取付及び結束バンド６０の締付けを簡易に行え、また、分岐部分ＷＨｄ及びワイヤーハーネス固定具５０の取付位置の寸法精度を向上できる。
【００８３】
なお、ワイヤーハーネス固定具５０の取付位置は上記例に限られない。図１５はワイヤーハーネス固定具を、分岐部分において、分岐元線のうち分岐線とは反対側の側面に配設した例を示す図である。
【００８４】
この例では、ワイヤーハーネスＷＨは上記と同様の分岐部分ＷＨｄを有している。そして、分岐元線ＷＨａのうち分岐線ＷＨｂとは反対側の側面にワイヤーハーネス固定具５０が配設されている。また、分岐元線ＷＨａのうち分岐線ＷＨｂの両側部分で、ワイヤーハーネス固定具５０と共に結束するようにして、結束バンド６０が巻回固定されている。この結束バンド６０により、分岐部分ＷＨｄが上記分岐形態で結束保持される。また、その分岐部分ＷＨｄに固定されたワイヤーハーネス固定具５０を用いて、当該分岐部分ＷＨｄが車体等に固定される。
【００８５】
なお、上記各例では、ワイヤーハーネスＷＨの分岐部分ＷＨｄに一対の結束バンド６０及びワイヤーハーネス固定具５０を設けた例で説明したが、取付位置は必ずしもそれに限られない。例えば、４方向分岐部分やそれ以上の多方向分岐部分、さらには直線状部分に一対の結束バンド６０やワイヤーハーネス固定具５０が設けられてもよい。
【図面の簡単な説明】
【００８６】
【図１】実施形態に係る固定具付ワイヤーハーネス装置の分岐部分を示す底面図である。
【図２】同上の固定具付ワイヤーハーネス装置の分岐部分を示す側面図である。
【図３】図３（ａ）は結束バンドを示す正面図であり、図３（ｂ）は結束バンドを示す一部断面側面図である。
【図４】実施形態に係るワイヤーハーネス固定具を示す斜視図である。
【図５】図５（ａ）はワイヤーハーネス固定具を示す平面図、図５（ｂ）はワイヤーハーネス固定具を示す正面図、図５（ｃ）はワイヤーハーネス固定具を示す底面図、図５（ｄ）はワイヤーハーネス固定具を示す側面図である。
【図６】バンド挿通孔に細帯状バンド本体部を挿通した状態を示す図である。
【図７】バンド挿通孔に細帯状バンド本体部を挿通して結束バンドを締付けた状態を示す図である。
【図８】結束バンドを締付けた状態におけるバンド挿通部を示す図である。
【図９】分岐部分結束用治具を示す斜視図である。
【図１０】図１０（ａ）は同状態を示す平面図であり、図１０（ｂ）は同状態を示す側面図であり、図１０（ｃ）は同状態を示す正面図であり、図１０（ｄ）は同状態を示す側面図であり、図１０（ｅ）は同状態を示す背面図である。
【図１１】ワイヤーハーネスの製造工程を示す図である。
【図１２】ワイヤーハーネスの製造工程を示す図である。
【図１３】ワイヤーハーネスの製造工程を示す図である。
【図１４】ワイヤーハーネスの製造工程を示す図である。
【図１５】固定具付ワイヤーハーネス装置の分岐部分の他の例を示す図である。
【符号の説明】
【００８７】
２  固定具付ワイヤーハーネス装置
５０  ワイヤーハーネス固定具
５２  固定本体部
５４  皿状部
５６  鍔状部
５８  バンド挿通部
５８ａ  バンド挿通孔
５８ｂ  仕切壁
５８ｃ  上壁部
６０  結束バンド
６２  細帯状バンド本体部
８０  取付対象
８２  取付孔
ＷＨ  ワイヤーハーネス
ＷＨａ  分岐元線
ＷＨｂ  分岐線
ＷＨｄ  分岐部分
【図１】
2008296916.tif 000003
【図２】
2008296916.tif 000004
【図３】
2008296916.tif 000005
【図４】
2008296916.tif 000006
【図５】
2008296916.tif 000007
【図６】
2008296916.tif 000008
【図７】
2008296916.tif 000009
【図８】
2008296916.tif 000010
【図９】
2008296916.tif 000011
【図１０】
2008296916.tif 000012
【図１１】
2008296916.tif 000013
【図１２】
2008296916.tif 000014
【図１３】
2008296916.tif 000015
【図１４】
2008296916.tif 000016
【図１５】
2008296916.tif 000017